(57)【特許請求の範囲】
【請求項１】
背板に係合した左右の側板の下端部間を接続する位置に前補強部材を係合により取り付け、さらに前記前補強部材と前記側板とを接続する位置にアジャスタ取付部材を係合により取り付けたことを特徴とする組立式収納家具。
【請求項２】
前記アジャスタ取付部材は、係合部を介して前記前補強部材および前記側板に係合し、その位置から回転しておよび前記側板の下端面に重合した位置で前記係合部から変位した位置を止着具により止着される請求項１に記載の組立式収納家具。
【請求項３】
底板の下に前記前補強部材、前記側板および前記背板によって扁平空間が形成され、前記アジャスタ取付部材は、前記前補強部材と前記側板の入隅部に配置されてアジャスタ取付箇所を前記扁平空間側に持ち出している請求項１又は２に記載の組立式収納家具。
【請求項４】
底板に奥行き方向に延びる底板補強部材を取り付け、底板のうち底板補強部材の設けられる部位若しくは底板補強部材を前記前補強部材に止着具によって止着している請求項１〜３のいずれかに記載の組立式収納家具。
【請求項５】
前記前補強部材は、係合部を介して側板の前端面に係合し、その位置から回転して側板の前端面に重合した位置で止着具により止着される請求項１〜４のいずれかに記載の組立式収納家具。
【請求項６】
前記前補強部材を構成する前面の上縁部を折り曲げて上折り曲げ片を形成し、この上折り曲げ片の上面で底板を支持するように構成するとともに、上折り曲げ片を支持する第二の補強部材を設け、この第二の補強部材によって荷重による前記前補強部材の湾曲を抑制している請求項１〜５のいずれかに記載の組立式収納家具。
【発明の詳細な説明】
【技術分野】
【０００１】
本発明は、背板、天板及び側板を組み立てて構成する組立式収納家具に関する。
【背景技術】
【０００２】
例えば、ノックダウンに好適な組立式収納家具を構成するにあたり、板材を組み立てる構造として、例えば特許文献１には、背板、側板および天板を組み合わせて連結し、側板と背板に差し込むようにして底板を挿入したものが開示されている。左右の側板の前端部間には底板を折り曲げて構成した前框が位置している。
【０００３】
また、特許文献２には、ベースの上に背板及び側板を立設し、これら側板および背板の上に天板を係合させて、前面に扉を配置した収納家具が開示されている。ベースの前枠は前框として機能し、前枠と後枠の間は補強部材によって補強され、その補強部材にアジャスタが取り付けられている。
【先行技術文献】
【特許文献】
【０００４】
【特許文献１】特開２００４−２９８４９３号公報
【特許文献２】特開平１１−２９９５４９号公報
【発明の概要】
【発明が解決しようとする課題】
【０００５】
しかしながら、特許文献１のように底板を側板や背板に差し込むだけでは底板の耐荷重性を高めることが難しく、アジャスタを取り付けるにしても、単に側板や背板、或いは前框の下端に取り付けるだけでは取付強度が不十分となり易い。一方、特許文献２のように枠体状のベースを構成して側板や背板を立設し、アジャスタもしっかり取り付けられるようにすると、部品点数が多くかつ収納家具が重厚なものになるという問題がある。
【０００６】
本発明は、このような課題に着目してなされたものであって、その目的は、下部であるベース部分を極力簡素に構成し、かつ強度を高めた組立式収納家具を提供することである。
【課題を解決するための手段】
【０００７】
本発明は、かかる目的を達成するために、次のような手段を講じたものである。
【０００８】
すなわち、本発明の組立式収納家具は、背板に係合した左右の側板の下端部間を接続する位置に前補強部材を係合により取り付け、さらに前記前補強部材と前記側板とを接続する位置にアジャスタ取付部材を係合により取り付けたことを特徴とする。
【０００９】
この構成によれば、アジャスタ取付部材を用いることで、比較的自由な位置にアジャスタ取付箇所を設定することができるとともに、前補強部材と側板の組み付け強度を有効に高めることが可能となる。このため、構造が簡素ながらも耐荷重性や強度を向上させることが可能となる。
【００１０】
アジャスタ取付部材を前補強部材および側板に取り付ける係合操作を簡易化するためには、前記アジャスタ取付部材は、係合部を介して前記前補強部材および前記側板に係合し、その位置から回転しておよび前記側板の下端面に重合した位置で前記係合部から変位した位置を止着具により止着されることが好ましい。
【００１１】
簡易な構成でアジャスタ取付部材に取り付けられるアジャスタの取付軸を逃がす空間を確保するためには、底板の下に前記前補強部材、前記側板および前記背板によって扁平空間が形成され、前記アジャスタ取付部材は、前記前補強部材と前記側板の入隅部に配置されてアジャスタ取付箇所を前記扁平空間側に持ち出していることが望ましい。
【００１２】
底板を設ける場合に、底板と前補強部材の取付強度を有効に向上させるためには、底板に奥行き方向に延びる底板補強部材を取り付け、底板のうち底板補強部材の設けられる部位若しくは底板補強部材を前記前補強部材に止着具によって止着していることが効果的である。
【００１３】
前補強部材を側板に取り付ける係合操作を簡易化するためには、前記前補強部材は、係合部を介して側板の前端面に係合し、その位置から回転して側板の前端面に重合した位置で止着具により止着されることが好ましい。
【００１４】
底板を設ける場合に、底板を適切に支持して耐荷重性や強度を向上させるためには、前記前補強部材を構成する前面の上縁部を折り曲げて上折り曲げ片を形成し、この上折り曲げ片の上面で底板を支持するように構成するとともに、上折り曲げ片を支持する第二の補強部材を設け、この第二の補強部材によって荷重による前記前補強部材の湾曲を抑制していることが挙げられる。
【発明の効果】
【００１５】
本発明の組立式収納家具は、以上説明した構成であるから、アジャスタ取付部材を用いることで、前補強部材と側板の組み付け強度を有効に高めることが可能とり、構造が簡素ながらも耐荷重性や強度を向上させることが可能となる。
【図面の簡単な説明】
【００１６】
【図１】本発明の一実施形態に係る組立式収納家具の全体構成を示す斜視図。
【図２】同収納家具を構成する背板及び側板の上部を示す分解斜視図。
【図３】図２におけるＡ１−Ａ１部位断面図。
【図４】背板を構成する面板同士の連結部位周辺を模式的に示す正面図。
【図５】背板を構成する面板同士の組立に関する模式的断面図。
【図６】背板及び天板の組立に関する模式的断面図。
【図７】天板の側端部と側板の上端部の入隅部周辺を示す斜視図。
【図８】天板と側板の係合部を模式的に示す断面図。
【図９】同収納家具の下部を示す斜視図。
【図１０】同収納家具において側板の前下端部同士を連結する前補強部材を示す斜視図。
【図１１】図１０に示す前補強部材の取付に関する模式的な側面図。
【図１２】同収納家具において底板の取付に関する模式的な斜視図。
【図１３】同収納家具において側板と前補強部材とを連結するアジャスタ取付部材の取付に関する模式的斜視図。
【発明を実施するための形態】
【００１７】
以下、本発明の一実施形態を、図面を参照して説明する。
【００１８】
図１に示すように、本発明の一実施形態の組立式収納家具Ｆａは、前面を開口させた中空の家具本体Ｆａ１を主体とするオープン収納型の収納家具である。勿論、家具本体Ｆａ１の前面に、家具本体Ｆａ１の前面開口を閉止する閉止位置又は開放する開放位置に回転により開閉可能となる対をなす開き扉Ｆａ２を取り付けて、開き戸型の収納家具を構成してもよく、またスライド移動する扉を取り付けて引き戸型の収納家具を構成してもよい。
【００１９】
家具本体Ｆａ１は、壁体である背板１と、同じく壁体であって背板１の両側端部に取り付けられる側板２と、側板２の上端部間に取り付けられる天板３と、側板２の下端部間に取り付けられる底板４とを箱状に組み付けることにより構成され、内部に収納空間ＳＰ１を形成する。なお、以下の説明において、開き扉Ｆａ２が位置する側を前方（前側）とし、背板１が位置する側を後方（後側）とし、天板３が位置する側を上方（上側）とし、底板４が位置する側を下方（下側）とし、家具本体Ｆａ１を構成する背板１、側板２、天板３及び底板４に囲まれる収納空間ＳＰ１側を内方（内側）とし、家具本体Ｆａ１の反収納空間側を外方（外側）とし、前方から後方に向かって右を右方（右側）、左を左方（左側）とする。
【００２０】
背板１は、図２、図３及び図４に示すように、分割された複数の面板１０・１１を連結して構成されるもので、各面板１０・１１は、一枚の板材を塑性変形加工（例えば板金加工等）により適宜折り曲げて形成される。左面板１０及び右面板１１には、家具本体Ｆａ１の背面を構成する正面視略矩形状の後面１２の左側端、右側端及び上下端を前方へ略直角に折り曲げて左側端面１３、右側端面１４、上端面１５及び下端面１６を形成している。左面板１０は、その右側端部を折り曲げることで右側端面１４を有する左面板内折り曲げ部１０ａが形成されているとともに、右面板１１には、その左側端部を折り曲げることで左側端面１３を有する右面板内折り曲げ部１１ｃが形成されている。左面板１０及び右面板１１は、各々の側端部同士を互いに突き合わせた状態で左面板内折り曲げ部１０ａと右面板内折り曲げ部１１ｃとを係合することにより連結される。すなわち、左面板内折り曲げ部１０ａ及び右面板内折り曲げ部１１ｃが、両面板１０・１１を連結する左右面板係合部１７を構成している。左右面板係合部１７は、図５（ａ）に示すように、内折り曲げ部１０ａ・１１ｃを各々の面板１０・１１の面方向を交差させた交差状態で係合させ、図５（ｂ）に示すように、交差状態から各々の面方向が略一致した面一状態となるまで両面板１０・１１を相対回転させることで、面板１０・１１同士のいずれか一方が他方を巻き込むように係合して係合が深まる構造をなしている。勿論、係合が深まらなくても係合している状態を維持する構造にしてもよい。
【００２１】
具体的には、図３に示すように、左面板内折り曲げ部１０ａは、左面板１０の右側端部を略直角に折り曲げて前方に突出する右側端面１４を形成するとともに、その先端部を更に左方及び後方に同じに折り曲げ、その先端部を更に後方に向かうように折り曲げることで、平面視略鈎状に形成されている。一方、右面板内折り曲げ部１１ｃは、右面板１１の左側端部を前方に折り曲げて前方に突出する左側端面１３を形成するとともに、その先端部を更に左方に略直角に折り曲げ、その先端部を更に後方に略直角に折り曲げ、更にまたその先端部を右方に略直角に折り曲げることで、左面板内折り曲げ部１０ａに対応する平面視略鈎状に形成されている。左面板内折り曲げ部１０ａの先端部を左方且つ後方に同時に折り曲げることにより、係合時に右面板内折り曲げ部１１ｃの先端部を引き寄せる弾性反発力が蓄積されるように構成されている。
【００２２】
面板１０・１１同士の係合部たる左右面板係合部１７は、各々の縁部を折り曲げてなる折り曲げ部（１１ｃ，１０ａ）により構成されており、これら折り曲げ部（１１ｃ，１０ａ）の少なくともいずれか一方には、その先端部をほぼ周回させて開口を形成し、この開口に他方の折り曲げ部を挿入した状態で相対回転することにより面板１０・１１同士のいずれか一方が他方を巻き込むように係合する。すなわち、右面板１１の右面板内折り曲げ部１１ｃは、その先端部がほぼ周回して開口を形成しており、この開口に左面板１０の左面板内折り曲げ部１０ａの先端部を挿入した状態で両面板１０・１１同士が相対回転（例えば左面板１０が、両面板が面一となる展開状態に向かって交差状態から回転することが挙げられる）することにより、右面板内折り曲げ部１１ｃが左面板内折り曲げ部１０ａを巻き込むように係合する構造をなしている。また、左面板内折り曲げ部１０ａの一部である右側端面１４と右面板内折り曲げ部１１ｃの一部である左側端面１３とは、両面板１０・１１同士を略面一にした際に突き当たり、これ以上両面板１０・１１同士が相対回転することを規制する回転規制部１８を構成している。
【００２３】
両面板１０・１１には、図２及び図４に示すように、その上下端部をそれぞれ前方に折り曲げることで上端面１５を有する背板上折り曲げ部１ｂ及び下端面１６を有する背板下折り曲げ部１ｄが形成されている。両面板１０・１１のうち少なくとも左面板１０に形成される背板上折り曲げ部１ｂ及び背板下折り曲げ部１ｄは、その上端面１５及び下端面１６が面板１０・１１同士の係合部である左右面板係合部１７を高さ方向（上下方向）から挟む位置に配置されており、面板１０・１１同士を回転により係合するにあたり、面板１０・１１同士が高さ方向（上下方向）に相対位置することを抑制している。また、図２及び図３に示すように、両面板１０・１１を連結した背板１は、その外側の両側端部を折り曲げることで左側端面１３又は右側端面１４をそれぞれ有する背板外折り曲げ部１ｃ，１ａが形成されている。
【００２４】
天板３は、図１に示すように、一枚の板材を塑性変形加工（例えば板金加工等）により適宜折り曲げて形成されるもので、家具本体Ｆａ１の天板面を構成する平面視略矩形状の上面３０の両側端及び前後端を下方に略直角に折り曲げて両側端面３１、前端面３２及び後端面３３を形成している。天板３には、図６に示すように、その後端部を折り曲げることで後端面３３を有する天板後折り曲げ部３ｆが形成されている。天板３及び背板１は、天板３の後端部及び背板１の上端部を互いに突き合わせた状態で天板後折り曲げ部３ｆと背板上折り曲げ部１ｂとを係合させることにより連結される。すなわち、天板後折り曲げ部３ｆ及び背板上折り曲げ部１ｂが、天板３と背板１とを連結する天板背板係合部５を構成している。天板背板係合部５は、図６（ｂ）に示すように、天板後折り曲げ部３ｆ及び背板上折り曲げ部１ｂを係合させ、図６（ｂ）→図６（ａ）のように、係合した位置から組立位置まで背板１及び天板３を相対回転させることで、背板１及び天板３のいずれか一方が他方を巻き込むように係合して係合が深まる構造をなしている。組立位置は、天板３の面方向と背板１の面方向とが略直交する位置関係であり、天板３及び背板１を組み付けた位置である。勿論、係合が深まらなくても係合している状態を維持する構造にしてもよい。なお、天板３は、背板１に対して係合した位置から組立位置に向かって係合状態を維持したまま若しくは係合を深めるように相対回転するように構成しているが、相対回転に限らず移動または姿勢変更可能に構成してもよい。
【００２５】
具体的には、図６（ａ）に示すように、天板後折り曲げ部３ｆは、天板３の後端部を略直角に折り曲げて下方に突出する後端面３３を形成し、後端面３３の先端部を更に前方に略直角に折り曲げて上面３０に対向する下面３３ａを形成し、その先端部を更に下方に略直角に折り曲げ、その先端部を更に後方に略直角に折り曲げ、更にその先端部を上方に略直角に折り曲げることで、断面視略鈎状に形成されている。一方、背板上折り曲げ部１ｂは、背板１の上端部を略直角に折り曲げて前方に突出する上端面１５を形成し、上端面１５の先端部を下方且つ後方に同時に折り曲げ、その先端部を更に後方に向かうように折り曲げることで、天板後折り曲げ部３ｆに対応する断面略鈎状に形成されている。背板上折り曲げ部１ｂの先端部を下方且つ後方に同時に折り曲げることにより、係合時に天板後折り曲げ部３ｆの先端部を引き寄せる弾性反発力が蓄積されるように構成されている。
【００２６】
天板３及び背板１の係合部たる天板背板係合部５は、各々の縁部を折り曲げてなる折り曲げ部（３ｆ，１ｂ）により構成されており、これら折り曲げ部（３ｆ，１ｂ）の少なくともいずれか一方には、その先端部をほぼ周回させて開口を形成し、この開口に他方の折り曲げ部を挿入した状態で相対回転することにより、天板３又は背板１のいずれか一方が他方を巻き込むように係合する。すなわち、天板３の天板後折り曲げ部３ｆは、その先端部がほぼ周回して開口を形成しており、この開口に背板１の背板上折り曲げ部１ｂの先端部を挿入した状態で天板３及び背板１が相対回転（例えば背板１に対して天板３が下方から上方に向かって回転することが挙げられる）することにより、天板後折り曲げ部３ｆが背板上折り曲げ部１ｂを巻き込むように係合する構造をなしている。また、天板３と背板１とを係合させて図６（ａ）に示す組立状態にしたときには、図４に示すように、背板１を構成する左面板１０の上端面１５と背板１を構成する右面板１１の上端面１５とが、共通の天板３の下面３３ａに突き当たり、天板３に対する各面板１０・１１の高さ方向を揃える位置決めがなされるように設定してある。
【００２７】
側板２は、図２及び図３に示すように、一枚の板材を塑性変形加工（例えば板金加工等）により適宜折り曲げて形成されるもので、家具本体Ｆａ１の側面を構成する略矩形状の外面２０の上下端及び前後端を内方に略直角に折り曲げて上端面２１、下端面２２（図９参照）、後端面２３及び前端面２４を形成している。側板２は、図３に示すように、その後端部を折り曲げることで後端面２３を有する側板後折り曲げ部２ｆが形成されている。側板２及び背板１は、側板２の後端部及び背板１の外側端部を互いに突き合わせた状態で側板後折り曲げ部２ｆと背板外折り曲げ部１ｃ，１ａとを係合させることにより連結される。すなわち、側板後折り曲げ部２ｆ及び背板外折り曲げ部１ｃ，１ａが、側板２と背板１とを連結する側板背板係合部６を構成している。側板背板係合部６は、図６に示す背板１と天板３の組み付けと同様に、側板後折り曲げ部２ｆ及び背板外折り曲げ部１ｃ，１ａを係合させ、係合した位置から組立位置まで側板２及び背板１を相対回転させることで、側板２及び背板１のいずれか一方が他方を巻き込むように係合して係合が深まる構造をなしている。組立位置は、側板２の面方向と背板１の面方向とが略直交する位置関係であり、側板２及び背板１を組み付けた位置である。勿論、係合が深まらなくても係合している状態を維持する構造にしてもよい。なお、側板２は、背板１に対して係合した位置から組立位置に向かって係合状態を維持したまま若しくは係合を深めるように相対回転するように構成しているが、相対回転に限らず移動または姿勢変更可能に構成してもよい。
【００２８】
具体的には、図３に示すように、側板後折り曲げ部２ｆは、側板２の後端部を略直角に折り曲げて内方に突出する後端面２３を形成し、後端面２３の先端部を更に前方に略直角に折り曲げ、その先端部を更に内方に折り曲げて後端面２３に平行な前面２３ａを形成し、前面２３ａの先端部を更に後方に折り曲げ、その先端部を更に外方に折り曲げることで、断面略鈎状に形成されている。一方、背板外折り曲げ部１ｃ，１ａは、背板１の外側端部を略直角に折り曲げて前方に突出する左側端面１３又は右側端面１４をそれぞれ形成し、その先端部を内方且つ後方に同時に折り曲げて後面１２に対向する前面１２ａを形成し、前面１２ａの先端部を後方に向かうように折り曲げることで、側板後折り曲げ部２ｆに対応する横断面鈎状に形成されている。背板外折り曲げ部１ｃ，１ａの先端部を内方且つ後方に同時に折り曲げることで、側板後折り曲げ部２ｆの先端部を引き寄せる弾性反発力が蓄積されるように構成されている。
【００２９】
側板２及び背板１の係合部たる側板背板係合部６は、各々の縁部を折り曲げてなる折り曲げ部（２ｆ，１ｃ等）により構成されており、これら折り曲げ部（２ｆ，１ｃ等）の少なくともいずれか一方には、その先端部をほぼ周回させて開口を形成し、この開口に他方の折り曲げ部を挿入した状態で相対回転することにより、側板２又は背板１のいずれか一方が他方を巻き込むように係合する。すなわち、側板２の側板後折り曲げ部２ｆは、その先端部がほぼ周回して開口を形成しており、この開口に背板１の背板外折り曲げ部１ｃ，１ａの先端部を挿入した状態で側板２及び背板１が相対回転（例えば背板１に対して側板２が内方から外方に向かって回転することが挙げられる）することにより、側板後折り曲げ部２ｆが背板外折り曲げ部１ｃ，１ａを巻き込むように係合する構造をなしている。また、側板背板係合部６は、側板２及び背板１の高さ方向全域に亘って略同一の断面をなしており、側板２は、背板１との係合状態を維持したまま天板に対する遠近方向（上下方向）に沿ってスライド移動可能に構成されている。
【００３０】
天板３の両側端部及び側板２の上端部は、図７及び図８に示すように、組立位置で突き当たる位置関係にあり、収納空間側において互いに対向する位置関係となるように天板３及び側板２にそれぞれ取付部７ａ，７ｂを設け、組立位置において両取付部７ａ，７ｂ同士をネジ等の止着具ｖｏを用いて連結するように構成している。
【００３１】
具体的には、天板３は、図８に示すように、その両側端部を折り曲げることで下方に突出する両側端面３１を有する天板側端折り曲げ部３ｃ・３ｃが形成されている。天板側端折り曲げ部３ｃは、側端面３１の先端部を更に内方に略直角に折り曲げて上面３０に平行に対向する下面３１ａを形成し、下面３１ａの先端部を更に内方且つ上方に同時に折り曲げて傾斜面３１ｂを形成し、傾斜面３１ｂの先端部を更に上方に向かうように折り曲げて起立面３１ｃを形成することで、断面略台形状をなす折り曲げ片や取付片とも呼ばれる取付部７ａを構成している。一方、側板２は、図２及び図８に示すように、その上端部を折り曲げることで内方に突出する上端面２１を有する側板上折り曲げ部２ｂが形成されている。側板上折り曲げ部２ｂは、上端面２１の先端部を更に内方且つ上方に折り曲げて傾斜面２１ｂを形成し、傾斜面２１ｂの先端部を更に上方に向かうように折り曲げて起立面２１ｃを形成することで、天板側端折り曲げ部３ｃに対応する横断面略台形状をなす折り曲げ片や取付片とも呼ばれる取付部７ｂを構成している。これら取付部７ａ，７ｂは、図２及び図７に示すように、天板３の両側端及び側板２の上端部に奥行き方向に沿って形成されており、図８に示すように天板３及び側板２の組立位置において取付部７ａの下面３１ａ，傾斜面３１ｂ，起立面３１ｃと取付部７ｂの上端面２１，傾斜面２１ｂ，起立面２１ｃとが収納空間ＳＰ１側でそれぞれ対向する位置関係にあり、連結部分となる取付部７ａ，７ｂが外部に露出せずに外観（見栄え）を損ない難くなる。取付部７ａ，７ｂの形状が受け皿のような略台形をなし、これらが凹凸関係で向き合っているので、天板３と側板２とが組立位置に向かう際に取付部７ａ、７ｂ同士が相対的にスライド或いは回転しながら呼び込み合うことでガイド部材の役割を果たしている。これら取付部７ａ，７ｂ同士がガイド部材の役割を果たす組み付け方の一例としては、天板３及び背板１が組付位置にある状態から更に天板３を天板背板係合部５の弾性を利用して上方に回転させて保持しておき、この状態で背板１に対して側板２を係合させながら回転により組立位置に持っていき、上方に保持しておいた天板３を下方に回転させて側板２に対して天板３を組立位置に向かわせることが挙げられる。この場合、上方に保持しておいた天板３を回転により下方に落とす際に、取付部７ａ，７ｂ同士が相対的にスライド或いは回転しながら呼び込み合うガイド部材の役割を果たす。
【００３２】
図７及び図８に示すように、各々の取付部７ａ，７ｂの傾斜面３１ｂ，２１ｂには、組立位置で合致するネジ止め用の孔７ｓ・７ｓが形成されており、この孔７ｓにネジ等の止着具ｖｏを差し込んで連結される。これらねじ止め用の孔７ｓ・７ｓは、組み立て状態で軸心が合致するように位置関係が規定されており、これら孔７ｓ・７ｓの合致するか否かによって位置決め状態を確認可能にしている。また、ネジ止め用の孔７ｓが形成される傾斜面２１ｂ，３１ｂの傾斜により、ネジやボルト等の止着具ｖｏの軸が収納空間ＳＰ１内方を向くようにし、止着具ｖｏを締めやすくしている。また、図８に示すように、組立位置において取付部７ａの傾斜面３１ｂ及び取付部７ｂの傾斜面２１ｂには若干の隙間が設けてあり、ネジ等の止着具ｖｏで止めた場合に取付部７ａ，７ｂ同士の間に弾性反発力が蓄積されるように構成されている。
【００３３】
側板２の前端部は、図２に示すように、その前端部を内方に折り曲げて前端面２４を形成するとともに、前端面２４の先端部を後方に略直角に折り曲げ、その先端部を更に内方に折り曲げて前端面２４に対向する後面２４ａを形成している。この後面２４ａは、側板背板係合部６を構成する前面２３ａに対向する位置関係にあり、これら後面２４ａ及び前面２３ａ間に配置される棚板９０を保持するフック等の保持具を取り付けるための棚板取付孔９１が後面２４ａ及び側板背板係合部６に形成されている。
【００３４】
天板３の前端部には、図７に示すように、その前端部を下方に折り曲げて前端面３２を形成するとともに、前端面３２の先端部を更に後方に略直角に折り曲げて下面３２ａを形成し、下面３２ａの先端部を更に下方に折り曲げて天板の前端部に前框とも呼ばれる下向き突出部３２ｂを形成している。
【００３５】
左右の側板２・２の連結強度を補強するとともに、脚部となる高さ調節用のアジャスタの取付場所を確保すべく、図１に示すように、左右の側板２・２の前部下端部同士の間を接続する位置に前框とも呼ばれる前補強部材７が係合により取り付けられており、図９に示すように、前補強部材７と側板２とを接続する位置に、高さ調節用のアジャスタを取り付けるためのアジャスタ取付部材８を係合により取り付けている。
【００３６】
前補強部材７は、板材を塑性変形加工（例えば板金加工等）により適宜折り曲げて形成され、左右の側板２・２の下端部同士の間を連結する連結部材としての役割を果たすもので、図９及び図１０に示すように、略矩形状の前面７０の上縁部及び下縁部をそれぞれ折り曲げて後方に延びる上折り曲げ片７１及び下折り曲げ片７２とをそれぞれ形成し、両側端部において上折り曲げ片７１及び下折り曲げ片７２の先端（後端）を接続する位置に後面７３が設けてある。この後面７３には、図１０に示すように、前補強部材７を側板２に取り付けるための対をなす前補強部材取付係合部７３ａと、ネジ止め用の孔７３ｂとが設けられている。対をなす前補強部材取付係合部７３ａは、向きの異なる複数の爪部、すなわち後方且つ上方に開く上向き爪部７３ｃと、上向き爪部７３ｃの下方部位に配置され後方に開く後向き爪部７３ｄ・７３ｄとから構成されている。これに対して、側板２の前端面２４には、前補強部材取付係合部７３ａを構成する各爪部７３ｃ，７３ｄが差し込まれる取付孔２４ｈ・２４ｉと、ネジ止め用の孔２４ｊとが形成されている。そして、前補強部材７を側板２に取り付ける際には、図１１（ａ）及び図１０に示すように、対をなす前補強部材取付係合部７３ａを構成する上向き爪７３ｃ・７３ｃを左右の側板２・２に形成された取付孔２４ｈ・２４ｈに差し込んで前補強部材７を各側板２・２の前端面２４に係合し、図１１（ａ）→図１１（ｂ）のように係合位置から回転して側板の前端面２４と前補強部材７の後面７３を接触（重合）させ、図１０及び図１１（ｂ）に示すように、この状態でボルトやネジ等の止着具ｖｏを前補強部材取付係合部７３ａから変位した位置のネジ止め用の孔７３ｂ・２４ｊに差し込んで前補強部材７を止着している。
【００３７】
図１０に示すように、下折り曲げ片７２は、前補強部材７の前面７０の下端部を後方に略直角に折り曲げて下端面７２ａを形成し、下端面７２ａの先端部を更に上方に略直角に折り曲げて形成される。また、上折り曲げ片７１は、前補強部材７の前面７０の上端部を後方に略直角に折り曲げて上面７１ａを形成し、上面７１ａの先端部を更に上方に略直角に折り曲げ、その先端部を更に後方に折り曲げ、その先端部を更に下方に略直角に折り曲げ、その先端部を更に後方に略直角に折り曲げて底板４を設置するための載置面７１ｂを形成している。なお、図１に示す開き扉Ｆａ２や引き戸を取り付ける場合には、図１０及び図１に示す上折り曲げ片７１の上面７１ａ及び図７に示す天板３の下面３２ａに、開き扉Ｆａ２を回転可能に支持するための図示しない支持機構や引き戸をスライド動作させるための図示しないレール等が設置される。
【００３８】
底板４は、図１２に示すように、板材を塑性変形加工（例えば板金加工等）により適宜折り曲げて形成されるもので、底面４０の前端部を下方に折り曲げて前面４１を形成し、前面４１の先端部を後方に略直角に折り曲げて前部下面４１ａを形成するとともに、底面４０の後端部を折り曲げて底面４０の後端がオーバーハングするように下方に延びる後面４２を有する後折り曲げ部４３を形成している。底板４の中央部には、底面４０を支持する奥行き方向に延びる断面略Ｕ字形状の底板補強部材４４が設けられている。そして、底板４を取り付ける際には、底面４０の後端のオーバーハング領域Ａｒに形成された後方へ開く爪部４４ａ・４４ｂ・４４ｃを、側板背板係合部６および左右面板係合部１７にそれぞれ形成した底板取付孔４５・４５・４５に差し込んで、底板４の前部下面４１ａを載置面７１ｂに載置し、図１２に示すように、底板４のうち底板補強部材４４の設けられる部位（前部下面４１ａの一部）と底板補強部材４４とを載置面７１ｂに止着具ｖｏで止着するとともに、図９に示すように、底板４の後折り曲げ部４３の後面４２と面板１０・１１同士の係合部たる左右面板係合部１７とをボルト等の止着具ｖｏで止着している。図１２に示すように、底板４の底面４０のうちオーバーハング領域Ａｒは、側板背板係合部６や左右面板係合部１７の形状に合わせた切り欠きを設けておき、切り欠き以外の部位は、背板１との間に収納物を通さない程度に近接又は接触させて背板１との間の隙間を低減又は無くしている。
【００３９】
前補強部材７には、図１０に示すように、上折り曲げ片７１と上折り曲げ片７１とを接続して上折り曲げ片７１を支持する第二の補強部材７４が左右の二箇所に設けられている。第二の補強部材７４は、起立する板状の縦補強面７４ａの上縁を内方に略直角に折り曲げて形成された上補強面７４ｂと、縦補強面７４ａの下縁を内方に略直角に折り曲げて形成された下補強面７４ｃとを有し、上補強面７４ｂが上折り曲げ片７１を支持する状態で溶接され、下補強面７４ｃが下折り曲げ片７２に支持される状態で溶接されて、上折り曲げ片７１と上折り曲げ片７１とを接続しており、底板４に加わる荷重が上折り曲げ片７１に作用した場合に前補強部材７の変形を抑制するものである。
【００４０】
アジャスタ取付部材８は、図９に示すように、家具本体Ｆａ１の下部四隅に取り付けられて、高さ調節可能な脚部でもある図示しないアジャスタを取り付けるための部材で、板材を塑性変形加工（例えば板金加工等）により適宜折り曲げて形成されるものである。アジャスタ取付部材８は、図９及び図１３に示すように、平面視略三角形の底面８０を主体とし、前補強部材７と側板２との入隅部において前補強部材７と側板２とを接続する位置、若しくは、側板２と背板１との入隅部において側板２と背板１とを接続する位置に配置される。この底面８０には、アジャスタ取付部材８を前補強部材７且つ側板２若しくは背板１且つ側板２に取り付けるためのアジャスタ取付部材係合部８１と、ネジ止め用の孔８２とが設けられている。アジャスタ取付部材係合部８１は、向きの異なる複数の爪部、すなわち上方且つ内方に開く対をなす内向き爪部８１ａ・８１ａと、上方に開く対をなす上向き爪部８１ｂ・８１ｂとから構成されている。これら内向き爪部８１ａ及び上向き爪部８１ｂは、共に断面が長尺状に形成されており、各々の長手方向が略八の字状に交差するようにされて、荷重に対する強い方向を互いに交差させている。これに対して、側板２、前補強部材７及び背板１の下端面２２，７２ａ，１６には、内向き爪部８１ａ及び上向き爪部８１ｂが差し込まれる取付孔９２ａ，９２ｂと、ネジ止め用の孔９２ｃとが形成されている。そして、アジャスタ取付部材８を取り付ける際には、対をなす内向き爪部８１ａ・８１ａを前補強部材７の取付孔９２ａ，側板２の取付孔９２ａに差し込んでアジャスタ取付部材８をアジャスタ取付部材係合部８１を介して前補強部材７及び側板２に係合し、その位置から爪部８１ａを支点に回転してアジャスタ取付部材８の底面８０を前補強部材７の下端面７２ａ，側板２の下端面２２に接触（重合）させ、この状態で図９に示すようにボルトやネジ等の止着具ｖｏをアジャスタ取付部材係合部８１から変位した位置のネジ止め用の孔８２，９２ｃに差し込んでアジャスタ取付部材８を止着している。なお、背板１と側板２に取り付ける場合も同様に取り付けられる。
【００４１】
アジャスタ取付部材８を止着した状態では、図９に示すように、底板４の下に前補強部材７、側板２・２及び背板１によって扁平空間ＳＰ２が形成されており、家具本体Ｆａ１の下部四隅、すなわち前補強部材７と側板２の入隅部、側板２と背板１の入隅部に配置されたアジャスタ取付部材８に設けられたアジャスタ取付箇所８３が前記扁平空間ＳＰ２側（内方）に持ち出されている。これによって、アジャスタ取付箇所８３に取り付けられるアジャスタの取付軸を扁平空間ＳＰ２に逃がすことが可能となり、簡易な構成でアジャスタの取付軸を逃がす空間を確保している。
【００４２】
以上のように、本実施形態の組立式収納家具Ｆａは、背板１に係合した左右の側板２・２の下端部間を接続する位置に前補強部材７を係合により取り付け、さらに前補強部材７と側板２とを接続する位置にアジャスタ取付部材８を係合により取り付けている。
【００４３】
このように、アジャスタ取付部材を用いることで、比較的自由な位置にアジャスタ取付箇所を設定することができるとともに、前補強部材７と側板２の組み付け強度を有効に高めることが可能となる。このため、構造が簡素ながらも耐荷重性や強度を向上させることが可能となる。
【００４４】
特に、本実施形態では、アジャスタ取付部材８は、係合部（内向き爪部８１ａ）を介して前補強部材７および側板２に係合し、その位置から回転しておよび側板２の下端面２２に重合した位置で係合部たる内向き爪部８１ａから変位した位置を止着具ｖｏにより止着されるので、アジャスタ取付部材８を前補強部材７および側板２に取り付ける係合操作を簡易化することが可能となる。
【００４５】
また、本実施形態では、底板４の下に前補強部材７、側板２および背板１によって扁平空間ＳＰ２が形成され、アジャスタ取付部材８は、前補強部材７と側板２の入隅部に配置されてアジャスタ取付箇所８３を前記扁平空間側に持ち出しているので、アジャスタ取付箇所８３に取り付けられるアジャスタの取付軸を扁平空間ＳＰ２内部に逃がすことが可能となり、簡易な構成でアジャスタ取付部材８に取り付けられるアジャスタの取付軸を逃がす空間を確保することが可能となる。
【００４６】
さらに、本実施形態では、底板４に奥行き方向に延びる底板補強部材４４を取り付け、底板４のうち底板補強部材４４の設けられる部位（前部下面４１ａの一部）と底板補強部材４４とを前補強部材７の載置面７１ｂに止着具ｖｏによって止着しているので、底板４と前補強部材７の取付強度を有効に向上させることが可能となる。
【００４７】
加えて、本実施形態では、前補強部材７は、係合部たる上向き爪部爪７３ｃを介して側板２の前端面２４に係合し、その位置から回転して側板２の前端面２４に重合した位置で止着具ｖｏにより止着されるので、前補強部材７を側板２に取り付ける係合操作を簡易化することが可能となる。
【００４８】
その他、本実施形態のように、前補強部材７を構成する前面７０の上縁部を折り曲げて上折り曲げ片７１を形成し、この上折り曲げ片７１の上面たる載置面７１ｂで底板４を支持するように構成した場合には、底板４に荷重が掛かったときに前補強部材７の前面７０が平面視において直線状から前方に凸となる膨出状に湾曲変形し、変形により底板４の支持強度が下がることが考えられるものの、本実施形態のように、上折り曲げ片７１を支持する第二の補強部材７４を設け、この第二の補強部材７４によって荷重による前補強部材７の湾曲を抑制して、底板４を適切に支持して耐荷重性や強度を向上させることが可能となる。
【００４９】
なお、各部の具体的な構成は上述した実施形態のみに限定されるものではなく、本発明の趣旨を逸脱しない範囲で種々変形が可能である。各部の具体的な構成は、上述した実施形態のみに限定されるものではなく、本発明の趣旨を逸脱しない範囲で種々変形が可能である。
【符号の説明】
【００５０】
１…背板
２…側板
２２…側板の下端面
２４…側板の前端面
４…底板
４４…底板補強部材
７…前補強部材
７０…前補強部材の前面
７１…上折り曲げ片
７１ｂ…載置面（上折り曲げ片の上面）
７３ｃ…上向き爪部爪（前補強部材の係合部）
７４…第二の補強部材
８…アジャスタ取付部材
８１ａ…内向き爪部（アジャスタ取付部材の係合部）
８３…アジャスタ取付箇所
ｖｏ…止着具
ＳＰ２…扁平空間
【図１】
0005545659.tif 000002
【図２】
0005545659.tif 000003
【図３】
0005545659.tif 000004
【図４】
0005545659.tif 000005
【図５】
0005545659.tif 000006
【図６】
0005545659.tif 000007
【図７】
0005545659.tif 000008
【図８】
0005545659.tif 000009
【図９】
0005545659.tif 000010
【図１０】
0005545659.tif 000011
【図１１】
0005545659.tif 000012
【図１２】
0005545659.tif 000013
【図１３】
0005545659.tif 000014